(57)【要約】【課題】  洋式トイレ便座横の介助手すりに取り付けて、排便時の力み補助と共に便座前方への落下防止を行うこと。【解決手段】  本発明に係る排便介助装置においては、トイレ便座１の側面に設置されている介助手すり３に取り付けて、使用者の前方任意の位置に介助アームＡ−４を固定でき、該アームにつかまることにより排便姿勢を保つと共に下腹部に力を入れる助けにし、かつ便座前方への落下防止の役目を果たす。【選択図】  図６
2014012048.tif 000002
【特許請求の範囲】
【請求項１】
洋式便座を用いるトイレの介助手すりに取り付けられ得る排便介助装置において、垂直支柱部、手すり固定部、介助アーム固定部を備えて構成され、トイレ床面にて前記垂直支柱部の底部を支え、前記垂直支柱部の上部がトイレ便座の側方に設置された介助手すり水平部に固定可能であり、前記垂直支柱部と前記介助手すり水平部とを固定する前記手すり固定部は前記介助手すり水平部に沿って水平位置が可変かつ任意の位置で固定可能なる機構を有し、前記垂直支柱部には、支柱軸を中心として略水平に回転可能かつ任意の位置で固定可能なる介助アーム固定部が取り付けられ得、前記介助アーム固定部には使用者がつかまることができる介助アームがトイレ床面に略水平に取り付けられ得ることを特徴とする排便介助装置。
【請求項２】
請求項１記載の排便介助装置において、前記介助アームの上方に、略水平に小面積の板状台を取り付けたことを特徴とする排便介助装置。
【発明の詳細な説明】
【技術分野】
【０００１】
本発明は、高齢者等に多い便秘時に、洋式便座（以後「便座」と省略）を用いるトイレ（以後単純に「トイレ」と省略）の壁面に取り付けられた介助手すりを利用して設置する便秘時排便介助を行う装置に関するものである。
【背景技術】
【０００２】
現在、足腰の不自由な方や高齢者のために、介護施設のトイレはもちろん、一般の公衆トイレにも「誰でもトイレ」と称するトイレが設置され、車椅子でも入出できるよう広いスペースを設け、便座横に着座、立ち上がりの援助のために便座横の壁面に介助手すりが付けられている。
【０００３】
上記のように便座への着座、立ち上がりのための介助装置は色々考えられているが、排便するための介助装置はほとんど見られない。特に、運動機会が少ない高齢者等は便秘症になることが多く、便秘症解消のための排便介助をするための装置が求められている。
【０００４】
便秘時は下腹に力を入れるため、前かがみの姿勢になることが多く、勢いあまって便座から前方に転がり落ちる事故が起きている。上述のように、前かがみの姿勢によって便座から転落しないような介助装置、さらには下腹に力を入れるためにつかまったり、下腹部を押さえるような便秘症解消のための排便介助装置は現在実現されていない。
【０００５】
特許文献１は、トイレの便座への着座、立ち上がりを介助するために、便座左右につかまり用の手すりを設置するものであるが、便座前方への落下防止や下腹に力を入れる援助にはほとんど役立たない。
【０００６】
特許文献２は、トイレ内に置く移動可能の小テーブルに関する発明であり、便座前方への落下防止や下腹に力を入れる援助には役立つかと思われる。しかし、小テーブルとは言え、狭いトイレ内では邪魔になる場合があり、便座への着座、立ち上がりに支障をきたす場合も想定される。
【先行技術文献】
【特許文献】
【０００７】
【特許文献１】特開２００３−１９０８９号公報
【特許文献２】特開２００７−２９５号公報
【非特許文献】
【０００８】
【非特許文献１】トークシステム株式会社「クイッククランパー（登録商標）」（URL: http://www.talksystem.co.jp/products/tc01.php）
【発明の概要】
【発明が解決しようとする課題】
【０００９】
前述のように、便秘症の使用者が排便時に前かがみの姿勢になって力んでも、トイレ便座から転落しないよう、かつ下腹に力を入れやすくする介助装置の実現が課題である。
【００１０】
さらに、使用者がかなり力を入れて該介助装置にすがるため、介助装置の機械的強度を高めることも課題である。
【００１１】
また、一般的にトイレ空間は狭いため、該介助装置は小型で、便秘症ではない使用者の通常排便時に邪魔にならない工夫も課題である。
【課題を解決するための手段】
【００１２】
上記のような各課題を解決するために、本発明に係る排便介助装置は垂直支柱部、手すり固定部、介助アーム固定部より構成され、トイレ床面にて該垂直支柱の底部を支え、該支柱の上部をトイレ便座の側方に設置された介助手すり水平部に垂直支柱部を固定し、該支柱と介助手すり水平部とを固定する該手すり固定部は介助手すり水平部に沿って水平位置が可変かつ任意の位置で固定可能なる機構を有する。該垂直支柱部には、支柱軸を中心として水平に回転可能かつ任意の位置で固定可能なる介助アーム固定部が垂直支柱部の垂直支柱に沿って移動可能かつ任意の位置で固定可能なる如く取り付けられており、該介助アーム固定部には使用者がつかまるための介助アームがトイレ床面に略水平に取り付けられていることを特徴とする。
【００１３】
さらに、請求項２の如く、介助アームの上方、水平に小面積の板を取り付け、使用者がつかまりやすくする一方、その上に薬等の物品を置く台としたり便器に座りながら本を読む台として用いることも可能である。
【発明の効果】
【００１４】
以上、説明したように、本発明に係る排便介助装置を用いることにより、便秘症の使用者の排便時のつかまり援助や腹部押しつけ援助をすると共に、力んだ時の前方落下事故を防止することができる。
【００１５】
また、本発明に係る排便介助装置は、使用しないときにはトイレ壁面に折りたたむことができ、狭いトイレ空間でも邪魔になることはない。
【００１６】
さらに、介助アーム上部に平面板を取り付けることにより、肘掛あるいは小台として小物を置いたり読書台とすることも可能であり、便秘症ではない健常者にも役立つことができる。
【図面の簡単な説明】
【００１７】
【図１】本発明の一実施形態に係る排便介助装置の一実施例の側面を示す概略図である。
【図２】本発明の一実施形態に係る排便介助装置の一実施例の正面を示す概略図である。
【図３】本発明の一実施形態に係る排便介助装置の一実施例の平面を示す概略図である。
【図４】本発明の一実施形態に係る排便介助装置の手すり固定部の構造の一実施例を示す概略図である。
【図５】本発明の一実施形態に係る排便介助装置の介助アーム固定部の構造の一実施例を示す概略図である。
【図６】本発明の一実施形態に係る排便介助装置の使用状態を示す概略図である。
【発明を実施するための形態】
【００１８】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００１９】
図１は、本発明の一実施形態に係る排便介助装置Ａを設置した場合の便座１横方向からの概略図（側面図）である。便座１はトイレ底面２の上に設けられており、便座１の側壁には介助用手すり３が取り付けられており、手すり３は、通常垂直部分３−１と水平部分３−２とを備えて構成されている。
【００２０】
本発明の排便介助装置Ａは垂直支柱部Ａ−１と手すり３への手すり固定部Ａ−２と介助アーム固定部Ａ−３とを備えて構成されている。垂直支柱部Ａ−１は、底部をトイレ床面２に接し、上部は手すり固定部Ａ−２によって手すり３の水平部３−２に固定されている。介助アーム固定部Ａ−３は、垂直支柱部Ａ−１の支柱軸Ａ−１ａを中心としてトイレ床面２に略水平に回転可能かつ任意の位置で固定可能なる構造となっている。
【００２１】
垂直支柱部Ａ−１には介助アーム固定部Ａ−３が取り付けられており、介助アーム固定部Ａ−３には介助アームＡ−４がトイレ床面２と略平行に取り付けられている。図１中の一点鎖線で表示した介助アームＡ−４ａは、介助アームＡ−４を便座１に着・離座する場合の邪魔にならないようトイレ壁面４に略平行に畳んだ状態を示している。
【００２２】
図２は、本発明の一実施形態に係る排便介助装置Ａを設置した場合の便座１前方からの概略図（正面図）である。
【００２３】
図３は、本発明の一実施形態に係る排便介助装置Ａを設置した場合の便座１上方からの概略図（平面図）である。図１と同じく一点鎖線の介助アームＡ−４ａは介助アームＡ−４をトイレ壁面４に略平行に畳んだ状態を示している。
【００２４】
図４は、本発明の一実施形態に係る排便介助装置Ａの手すり固定部Ａ−２の一態様を示した図である。手すり固定部Ａ−２は、垂直支柱部Ａ−１の支柱直径より若干大きな径を有する貫通孔Ａ−２ａによって垂直支柱部Ａ−１の上方に支柱に対して摺動可能な状態で取り付けられている。
【００２５】
また、手すり固定部Ａ−２には手すり３の直径より若干大きな切り欠きＡ−２ｂが穿設されており、切り欠き部分Ａ−２ｂを手すり３の水平部分３−２に対して略水平方向に摺動可能な状態で取り付けられている。
【００２６】
さらに、手すり固定部Ａ−２には切り欠き部分Ａ−２ｂに貫通する貫通ねじ穴Ａ−２ｃが設けられており、貫通ねじ穴Ａ−２ｃに適合する蝶ねじＡ−２ｄを絞めこむことによって手すり固定部Ａ−２と手すり３の水平部３−２とを任意の位置に固定することができる。
【００２７】
図５は、本発明の一実施形態に係る排便介助装置Ａの介助アーム固定部Ａ−３の一態様を示した図である。介助アーム固定部Ａ−３は、垂直支柱部Ａ−１の支柱直径より若干大きな径を有する貫通孔Ａ−３ａによって垂直支柱部Ａ−１の手すり固定部Ａ−２の下部に、垂直支柱部Ａ−１の支柱に対して摺動可能な状態で取り付けられている。
【００２８】
また、介助アーム固定部Ａ−３には貫通孔Ａ−３ａに略水平に貫通する貫通ねじ穴Ａ−３ｂが設けられており、貫通ねじ穴Ａ−３ｂに適合する蝶ねじＡ−３ｃを絞めこむことにより介助アーム固定部Ａ−３を垂直支柱部Ａ−１の任意の位置に固定することができる。
【００２９】
介助アーム固定部Ａ−３は、蝶ねじＡ−３ｃを緩めることにより垂直支柱部Ａ−１の支柱軸Ａ−１ａを中心に回転可能で、任意の回転角度で蝶ねじＡ―３ｃを絞めこむことにより固定することができる。
【００３０】
以上の説明及び図６の本発明の一実施形態に係る排便介助装置Ａの使用状態概略図から把握される通り、使用者の身長や座高、姿勢の違いに合わせて、使用者前方の最適位置に介助アームＡ−４の位置を固定することができる。
【００３１】
使用者は、介助アームＡ−４をしっかり握ることにより容易に下腹部に力を入れることができ、排便をし易くすることができる。また、介助アームＡ−４が前方にあるため、使用者が前かがみになっても前方に転げ落ちることを防止でき、更には介助アームＡ−４を使用者の下腹に押し付ける位置に設定すればさらに排便を促す効果が増加する。
【００３２】
上記の説明においては、手すり固定部Ａ−２の固定と介助アーム固定部Ａ−３の固定に各々蝶ねじを用いている例を示したが、非特許文献１に示す各種クランパーを用いて固定することも可能である。もちろん上記のクランパー以外にもいろいろな固定方法が考えられるが、すべて本発明の技術思想に含まれる。
【００３３】
また、図１乃至図６においては垂直支柱部Ａ−１、介助アームＡ−４を円柱パイプ構造として図示したが、多角柱構造とする等の例も考えられる。これらもすべて本発明の技術思想に含まれるものである。さらに、介助アームＡ−４を掴んだときに滑らないよう滑り止めを取り付ける等の追加・変更形態も本発明の思想範疇に入るものである。
【産業上の利用可能性】
【００３４】
上述してきたように、本願による発明によれば、便秘時の排便介助として大変有用なものであり、特に高齢者介護施設のトイレには排便介助ばかりでなくトイレ前方落下防止としても必要不可欠の装置である。
【００３５】
また、トイレ壁面に折りたたむことが可能で、健常者のトイレ使用時に邪魔になることがない上に、介助アームの上方に小板を設置すればひじ掛けや物置台として用いることができ、トイレでの休息にも役立てることができる。
【００３６】
従って本発明は、介助、住宅、病院を取り巻く各産業で大いなる利用可能性を有している。
【符号の説明】
【００３７】
１…便器、２…トイレ床面、３…手すり、３−１…手すり垂直部、３−２…手すり水平部、４…トイレ壁面、Ａ…排便介助装置、Ａ−１…垂直支柱部、Ａ−１ａ…垂直支柱部支柱軸、Ａ−２…手すり固定部、Ａ−２ａ…貫通孔、Ａ−２ｂ…切り欠き、Ａ−２ｃ…貫通ねじ穴、Ａ−２ｄ…蝶ねじ、Ａ−３…介助アーム固定部、Ａ−３ａ…貫通孔、Ａ−３ｂ…貫通ねじ穴、Ａ−３ｃ…蝶ねじ、Ａ−４…介助アーム、Ａ−４ａ…介助アーム回転時
【図１】
2014012048.tif 000003
【図２】
2014012048.tif 000004
【図３】
2014012048.tif 000005
【図４】
2014012048.tif 000006
【図５】
2014012048.tif 000007
【図６】
2014012048.tif 000008